(57)【要約】【課題】簡易な構成によって遅延波の影響を低減したい。【解決手段】無線装置５００は、先頭部分と末尾部分とにランプ波形が付加されたパケット信号を使用しながら、通信対象の無線装置との通信を実行する。通信部５１０は、通信対象の無線通信からのパケット信号を受信する。推定部５１２は、受信したパケット信号をもとに、通信対象の無線装置との間の距離を推定する。選択部５１４は、推定した距離に応じて、予め記憶した複数種類のランプ波形のうちのいずれかを選択する。ここで、選択部５１４は、推定した距離が長くなれば、期間の短いランプ波形を選択する。通信部５１０は、選択したランプ波形を付加しながらパケット信号を生成し、生成したパケット信号を通信対象の無線装置に送信する。【選択図】図１
2008227969.tif 000002
【特許請求の範囲】
【請求項１】
先頭部分と末尾部分とにランプ波形が付加されたパケット信号を使用しながら、通信対象の無線装置との通信を実行する無線装置であって、
通信対象の無線通信からのパケット信号を受信する受信部と、
前記受信部において受信したパケット信号をもとに、通信対象の無線装置との間の距離を推定する推定部と、
前記推定部において推定した距離に応じて、予め記憶した複数種類のランプ波形のうちのいずれかを選択する選択部と、
前記選択部において選択したランプ波形を付加しながらパケット信号を生成し、生成したパケット信号を通信対象の無線装置に送信する送信部とを備え、
前記選択部は、前記推定部において推定した距離が長くなれば、期間の短いランプ波形を選択することを特徴とする無線装置。
【請求項２】
前記推定部は、
前記受信部においてパケット信号を受信すべきタイミングを取得する第１取得部と、
前記受信部においてパケット信号を受信したタイミングを取得する第２取得部と、
前記第１取得部において取得したタイミングに対する前記第２取得部において取得したタイミングの遅れの程度を導出する第１導出部と、
前記第１導出部において導出する遅れの程度が大きくなれば、距離が長くなるような関係を使用しながら、前記第１導出部において導出した遅れの程度から距離を導出する第２導出部とを備えることを特徴とする請求項１に記載の無線装置。
【請求項３】
先頭部分と末尾部分とにランプ波形が付加されたパケット信号を使用しながら、通信対象の無線装置との通信を実行する通信方法であって、
通信対象の無線通信から受信したパケット信号をもとに、通信対象の無線装置との間の距離を推定するステップと、
推定した距離に応じて、予め記憶した複数種類のランプ波形のうちのいずれかを選択するステップと、
選択したランプ波形を付加しながらパケット信号を生成し、生成したパケット信号を通信対象の無線装置に送信するステップとを備え、
前記選択するステップは、推定した距離が長くなれば、期間の短いランプ波形を選択することを特徴とする通信方法。
【発明の詳細な説明】
【技術分野】
【０００１】
本発明は、通信技術に関し、特にランプ波形が含まれたパケット信号を使用する通信方法およびそれを利用した無線装置に関する。
【背景技術】
【０００２】
第２世代コードレス電話システムにおいては、伝送チャネルを分割するために、時分割多重接続（ＴＤＭＡ：Ｔｉｍｅ  Ｄｉｖｉｓｉｏｎ  Ｍｕｌｔｉｐｌｅ  Ａｃｃｅｓｓ）が使用されている。ここで、ひとつのフレームは、８つのタイムスロットに分割される。ひとつのタイムスロットの長さは、６２５μｓｅｃであり、ひとつのフレームの長さは、５ｍｓｅｃである。なお、タイムスロットには、２４０ビットの信号が含まれる。基地局装置から見て、前半の４スロットは、端末装置への送信用として使用され、後半の４スロットは、端末装置からの受信用に使用される。ひとつの送信用スロットとひとつの受信用スロットとを１組として、３組のスロットが３つの端末装置に対する通話チャネルに使用され、残りの１組のスロットが制御チャネルに使用される。
【０００３】
この構成において、基地局装置から各端末装置へ、５ｍｓｅｃごとに６２５μｓｅｃ間のパケット信号が送信される。また、各端末装置は、基地局装置からの信号を受信した時刻から２．５ｍｓｅｃ後に６２５μｓｅｃ間のパケット信号を送信する。パケット信号の先頭部分において、信号強度が急激に大きくなることによって、帯域外漏れ電力、いわゆるスプリアスが大きくなり、パケット信号の周波数帯域が広がってしまう。このため、パケット信号の前後に一定のランプ期間を設け、このランプ期間において、パケット信号が滑らかな包絡線にしたがって増大または減少する（例えば、特許文献１参照）。
【特許文献１】特開２００５−１０９７６８号公報
【発明の開示】
【発明が解決しようとする課題】
【０００４】
このような第２世代コードレス電話システムは、一般的に、半径数百メートルの狭い範囲での通信を目的にするが、近年、人口密度の低い地域における基地局装置の設置台数を削減するために、半径数キロメートルまで通信範囲を広げようとされている。距離が広くなることによって電波の遅延量が大きくなり、例えば、５キロメートルの距離で通信を実行する場合、６シンボル以上に相当する。なお、１シンボルは、５．２１μｓｅｃである。一方、第２世代コードレス電話システムのガードタイムは、６シンボルしかなく、遅延量がガードタイムに収まらなければ、干渉が発生し、受信特性が悪化する。また、このような課題を解決するための構成は、簡易である方が望ましい。
【０００５】
本発明はこうした状況に鑑みてなされたものであり、その目的は、簡易な構成によって遅延波の影響を低減する通信技術を提供することにある。
【課題を解決するための手段】
【０００６】
上記課題を解決するために、本発明のある態様の無線装置は、先頭部分と末尾部分とにランプ波形が付加されたパケット信号を使用しながら、通信対象の無線装置との通信を実行する無線装置であって、通信対象の無線通信からのパケット信号を受信する受信部と、受信部において受信したパケット信号をもとに、通信対象の無線装置との間の距離を推定する推定部と、推定部において推定した距離に応じて、予め記憶した複数種類のランプ波形のうちのいずれかを選択する選択部と、選択部において選択したランプ波形を付加しながらパケット信号を生成し、生成したパケット信号を通信対象の無線装置に送信する送信部とを備える。選択部は、推定部において推定した距離が長くなれば、期間の短いランプ波形を選択する。
【０００７】
この態様によると、距離に応じてランプ波形の期間を調節するので、ガードタイムの長さを調節でき、簡易な構成によって遅延波の影響を低減できる。
【０００８】
推定部は、受信部においてパケット信号を受信すべきタイミングを取得する第１取得部と、受信部においてパケット信号を受信したタイミングを取得する第２取得部と、第１取得部において取得したタイミングに対する第２取得部において取得したタイミングの遅れの程度を導出する第１導出部と、第１導出部において導出する遅れの程度が大きくなれば、距離が長くなるような関係を使用しながら、第１導出部において導出した遅れの程度から距離を導出する第２導出部とを備えてもよい。この場合、新たな情報をパケット信号に付加しなくても、距離を推定できる。
【０００９】
本発明の別の態様は、通信方法である。この方法は、先頭部分と末尾部分とにランプ波形が付加されたパケット信号を使用しながら、通信対象の無線装置との通信を実行する通信方法であって、通信対象の無線通信から受信したパケット信号をもとに、通信対象の無線装置との間の距離を推定するステップと、推定した距離に応じて、予め記憶した複数種類のランプ波形のうちのいずれかを選択するステップと、選択したランプ波形を付加しながらパケット信号を生成し、生成したパケット信号を通信対象の無線装置に送信するステップとを備える。選択するステップは、推定した距離が長くなれば、期間の短いランプ波形を選択する。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、簡易な構成によって遅延波の影響を低減できる。
【発明を実施するための最良の形態】
【００１２】
本発明を具体的に説明する前に、まず概要を述べる。本発明の実施例は、第２世代コードレス電話システムのようなＴＤＭＡ方式に対応した無線通信システムに関する。無線通信システムは、基地局装置や端末装置のような無線装置によって構成されており、基地局装置によって形成されるサービスエリア内において、基地局装置と端末装置との間の通信が実行される。なお、第２世代コードレス電話システムのフレーム構成およびタイムロット構成は、既に規定されている。
【００１３】
例えば、ひとつのタイムスロットの先頭から２シンボルに、ランプ波形（以下、「先頭ランプ波形」ともいう）が割り当てられ、末尾から６シンボルの間にガードタイムが割り当てられ、ガードタイムの前段２シンボルにランプ波形（以下、「末尾ランプ波形」ともいう）が割り当てられる。また、残りの部分がパケット信号のプリアンブル（ＰＲ）やデータに割り当てられる。基地局装置と端末装置との間の距離が大きくなることによって、無線信号の遅延がガードタイムよりも大きくなる場合があり、そのときに干渉が生じる。これに対応するために、実施例に係る無線装置は、以下の処理を実行する。
【００１４】
無線装置の一方、例えば基地局装置は、端末装置からのパケット信号を受信すると、受信したパケット信号をもとに、当該端末装置との間の距離を推定する。推定した距離がしきい値よりも大きくなければ、基地局装置は、通常のパケットフォーマットを使用し、パケット信号を生成した後に、パケット信号を送信する。一方、推定した距離がしきい値よりも大きければ、基地局装置は、通常のパケットフォーマットにおいて規定されたランプ波形よりも短いランプ波形を使用しながら、パケット信号を生成した後に、パケット信号を送信する。
【００１５】
図１は、本発明の実施例に係る無線装置５００の構成を示す。無線装置５００は、通信部５１０、推定部５１２、選択部５１４を含む。ここで、無線装置５００は、基地局装置であるとするが、端末装置であってもよい。
【００１６】
通信部５１０は、無線ネットワークを介して通信対象の無線装置、つまり図示しない端末装置との通信を実行する。なお、第２世代コードレス電話システムを対象とするので、フレーム構成、タイムスロット構成は、それに準ずる。また、通信部５１０は、パケット信号を送受信するが、パケット信号の先頭部分と末尾部分とには、ランプ波形が付加されている。通信部５１０は、受信処理として、端末装置からのパケット信号を受信する。受信したパケット信号は、無線周波数帯に配置されているので、通信部５１０は、パケット信号に対して、無線周波数帯からベースバンド帯への周波数変換を実行する。また、通信部５１０は、ベースバンド帯のパケット信号を復調し、パケット信号に含まれた情報を抽出する。
【００１７】
一方、通信部５１０は、送信処理として、送信すべき情報を変調し、ベースバンド帯のパケット信号を生成する。また、通信部５１０は、パケット信号の先頭部分と末尾部分にランプ波形を付加する。なお、ランプ波形が付加されたパケット信号も「パケット信号」というものとする。通信部５１０は、パケット信号に対して、ベースバンド帯から無線周波数帯への周波数変換を実行する。さらに、通信部５１０は、無線周波数帯のパケット信号を図示しない端末装置に送信する。
【００１８】
推定部５１２は、通信部５１０において受信したパケット信号をもとに、端末装置との間の距離を推定する。推定部５１２は、次のように距離を推定する。まず、推定部５１２は、通信部５１０においてパケット信号を受信すべきタイミング（以下、「希望タイミング」という）を取得する。前述のごとく、無線装置５００は、第２世代コードレス電話システムに対応しているので、図示しない内部クロックにしたがって予めフレームおよびタイムスロットを形成する。そのため、端末装置に割り当てたタイムスロットの先頭タイミングが、希望タイミングに相当する。
【００１９】
一方、推定部５１２は、通信部５１０においてパケット信号を実際に受信したタイミング（以下、「受信タイミング」という）を取得する。また、推定部５１２は、希望タイミングに対する受信タイミングの遅れの程度を導出する。例えば、受信タイミングの値から希望タイミングの値を減算することによって、遅れの程度は導出される。推定部５１２は、導出する遅れの程度が大きくなれば、距離が長くなるような関係を使用しながら、導出した遅れの程度から距離を導出する。なお、以上の関係は、実験等によって予め取得し、記憶されている。
【００２０】
選択部５１４は、複数種類のランプ波形を予め記憶する。ここでは、説明を明確にするために、２種類のランプ波形が記憶されているものとする。１種類目は、第２世代コードレス電話システムにおいて規定されたランプ波形（以下、「標準波形」という）であり、先頭ランプ波形２シンボルと末尾ランプ波形２シンボルによって形成される。また、２種類目は、標準波形よりも期間の短いランプ波形（以下、「短縮波形」という）であり、先頭ランプ波形１シンボルと末尾ランプ波形１シンボルとによって形成される。
【００２１】
選択部５１４は、推定部５１２において推定した距離に応じて、複数種類のランプ波形のうちのいずれかを選択する。具体的には、選択部５１４は、推定した距離がしきい値よりも長くなれば、短縮波形を選択する。一方、選択部５１４は、推定した距離がしきい値よりも長くなければ、標準波形を選択する。例えば、しきい値は、５ｋｍに設定される。これは、選択部５１４は、推定部５１２において導出した遅れの程度がしきい値よりも大きければ、短縮波形を選択し、遅れの程度がしきい値よりも大きくなければ、標準波形を選択することに相当する。
【００２２】
前述の通信部５１０は、選択部５１４において選択したランプ波形を付加しながらパケット信号を生成し、生成したパケット信号を端末装置に送信する。図２（ａ）−（ｂ）は、図１の無線装置５００において送受信されるタイムスロットのフォーマットを示す。図２（ａ）は、第２世代コードレス電話システムにおいて規定されているタイムスロットのフォーマットであり、標準波形が付加されたフォーマットである。先頭から２シンボルの「Ｒ」、「ＰＲ＋データ」、２シンボルの「Ｒ」、６シンボルの「Ｇ」が配置されている。ここで、「Ｒ」はランプ波形であり、「ＰＲ＋データ」はプリアンブルとデータであり、「Ｇ」はガードタイムである。
【００２３】
図２（ｂ）は、短縮波形が付加されたフォーマットである。先頭から１シンボルの「Ｒ」、「ＰＲ＋データ」、１シンボルの「Ｒ」、８シンボルの「Ｇ」が配置されている。図２（ｂ）は、図２（ａ）と比較して、ランプ波形の期間が短いので、ガードタイムの期間が長くなる。なお、端末装置は、ＴＤＭＡウインドウにてパケット信号の存在を検出することによって、受信処理を開始する。図２（ａ）に示されたフォーマットが図２（ｂ）に示されたフォーマットに変更されても、端末装置では、パケット信号の存在の検出タイミングが早くなるのみで、他に変更なく受信処理が実行される。
【００２４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２５】
図３は、通信部５１０に含まれたディジタル変調器３００の構成を示す。ディジタル変調器３００は、ＣＰＵ（中央演算処理装置）１０、タイミング信号発生回路２０、シリアル／パラレル変換回路（Ｓ／Ｐ）３０、マッピング回路４０、デジタルフィルタ５０、乗算器７０、ランプ波形記憶部１００、メモリ制御部２１０、デュアルポートメモリ２００、デジタル／アナログ変換器（Ｄ／Ａ）８０、ローパスフィルタ（ＬＰＦ）９０を含む。また、タイミング信号発生回路２０は、ランプ区間検出回路２２を含む。
【００２６】
ＣＰＵ１０は、ディジタル変調器３００全体の変調処理を制御するための上位プロセッサであり、パケット信号送信時において、シリアルのベースバンド信号（変調波信号）ＡＮを発生する。ＣＰＵ１０は、図示しない選択部５１４から短縮波形の選択を受けつけると、波形選択信号ＬＯＮＧをアクティブにし、ランプ波形記憶部１００に出力する。また、ＣＰＵ１０は、送信タイミングになると、開始信号ＴｘＳｔａｒｔをアクティブにし、メモリ制御部２１０へ出力する。ＣＰＵ１０は、パケット信号の過渡応答期間をノーマルモードとするか、あるいはショートモードとするかを判断し、モードを指定するための１ビットのモード選択信号ＮＯＲ／ＳＨＴを出力する。ここで、ノーマルモードは、標準波形のときに２シンボルに相当し、短縮波形のときに１シンボルに相当する。また、ショートモードは、標準波形のときに３／２シンボルに相当し、短縮波形のときに１／２シンボルに相当する。なお、モード選択信号ＮＯＲ／ＳＨＴは、ノーマルモードの選択時において“０”（「Ｌ」レベルに相当）を示し、ショートモードの選択時において“１”（「Ｈ」レベルに相当）を示す信号である。
【００２７】
タイミング信号発生回路２０は、シンボル速度よりも高速の入力クロック信号ＣＬＫによって駆動され、クロック信号Ｔ２、Ｔ３、Ｔ６と、デジタルフィルタ５０およびランプ波形記憶部１００に与える時間情報Ｔ１［０：３］（＝Ｔ１−０〜Ｔ１−３）とを発生する。タイミング信号発生回路２０は、パケット信号が、先頭ランプ処理区間、通常送信区間および末尾ランプ処理区間のいずれかにあるかを検出するためのランプ区間検出回路２２を備える。ランプ区間検出回路２２は、シンボル周期のクロック信号をカウントすることによって上記のいずれの区間にあるかを検出し、検出結果として２ビットの検出信号ＵＰ／ＤＯＷＮ［０：１］を発生する。検出信号ＵＰ／ＤＯＷＮは、ランプ波形記憶部１００に入力される。
【００２８】
シリアル／パラレル変換回路３０は、ＣＰＵ１０からシリアルのベースバンド信号ＡＮが与えられると、クロック信号Ｔ２，Ｔ３に同期して、パラレルの２ビットのデータ（Ｙｋ，Ｘｋ）に変換する。パラレルの２ビットのデータ（Ｙｋ，Ｘｋ）は、マッピング回路４０へ伝達される。マッピング回路４０は、シンボル周期のクロック信号Ｔ３に応じて、２ビットのパラレルデータをマッピングする。ここで、マッピング回路４０は、π／４シフトＱＰＳＫ変調方式へのマッピングを実行する。π／４シフトＱＰＳＫ変調方式では、通常、連続するシンボル間の相対位相からデータを判別するという差動符号化が行なわれる。π／４シフトＱＰＳＫ変調方式におけるシンボル点の配置図をπ／８だけ位相シフトすれば、Ｉ相およびＱ相のデータは、それぞれ３値レベルを有することとなる。このような差動符号化を用いたπ／４シフトＱＰＳＫ変調を一般にπ／４シフトＤＱＰＳＫ変調と称する。
【００２９】
出力されたシンボルマッピングデータは、デジタルフィルタ５０へ伝達される。デジタルフィルタ５０は、シンボルマッピングデータ（Ｉ１，Ｉ０，Ｑ１，Ｑ０）で与えられるベースバンド信号を帯域制限して搬送波信号と乗算し、デジタルデータを出力する。デジタルフィルタ５０は、基本的に、シンボルタップＲＯＭ（Read Only Memory）分割法を用いる。シンボルタップＲＯＭ分割法とは、デジタルフィルタ５０を複数のＲＯＭで構成し、ナイキストフィルタで帯域制限したベースバンド信号と搬送波信号との乗算結果を各シンボル間ごとに対応するＲＯＭにそれぞれ蓄積しておき、それぞれのＲＯＭの出力を加算する方法である。本実施例では、中心シンボル区間を挟んで、前後にそれぞれ４シンボル区間ずつ、すなわち合計９シンボル区間に対応するデータが蓄積され、ナイキストフィルタを通過したベースバンド信号と搬送波信号とを乗算して得られるデータが出力されるものとする。
【００３０】
一般に、ディジタル無線通信においては、電波の有効利用の観点から、デジタルフィルタを用いて、デジタルデータの狭帯域化が図られており、この狭帯域化を実現するデジタルフィルタとして、符号間干渉のない伝送特性（ナイキスト特性）を有する周知のナイキストフィルタが用いられる。ナイキストフィルタの基本的な処理は次のとおりである。インパルス入力に対する所望のインパルス応答波形のサンプリング点ごとのタップ係数を保持し、入力デジタルデータを所定のタップ数のシフトレジスタに順次保持させながら、それぞれのタップ出力と対応するタップ係数との乗算を行なって、その総和をとることにより、フィルタ出力が得られる。フィルタ出力は、１０ビットのデジタル信号ＤＡ［９：０］に変換される。このデジタル信号ＤＡ［９：０］は、乗算器７０に入力される。
【００３１】
ランプ波形記憶部１００は、ランプ波形データを記憶し、記憶したランプ波形データを出力する。ここでは、ランプ波形記憶部１００の構成を図４を参照しながら説明する。図４は、ランプ波形記憶部１００の構成を示す。ランプ波形記憶部１００は、ＲＯＭ１１０、セレクタ回路１２０、ＡＮＤ回路１３０を含む。
【００３２】
ＲＯＭ１１０は、タイミング信号発生回路２０で発生する時間情報Ｔ１［０：３］と、ランプ区間検出回路２２で発生する検出信号ＵＰ／ＤＯＷＮ１と、ＣＰＵ１０の出力するモード選択信号ＮＯＲ／ＳＨＴと、波形選択信号ＬＯＮＧをアドレス入力Ａ［０：６］として、ランプ波形データを記憶する。図５は、ＲＯＭ１１０に記憶されるランプ波形データの構成を示す。ランプ処理区間におけるランプ波形データ記憶領域は、標準波形のランプ波形データを記憶する領域と、短縮波形のランプ波形データを記憶する領域に分けられる。また、標準波形のランプ波形データを記憶する領域は、ランプ処理区間のランプ長さがノーマルモード（２シンボル）のときのランプ波形データを記憶する領域と、ショートモード（３／２シンボル）のときのランプ波形データを記憶する領域とに分けられる。
【００３３】
さらに、短縮波形のランプ波形データを記憶する領域は、ランプ処理区間のランプ長さがノーマルモード（１シンボル）のときのランプ波形データを記憶する領域と、ショートモード（１／２シンボル）のときのランプ波形データを記憶する領域とに分けられる。ノーマルモードおよびショートモードの記憶領域においては、先頭ランプ波形データと末尾ランプ波形データがそれぞれ記憶される。
【００３４】
ここで、標準波形を対象にしながら、ランプ処理区間におけるランプ波形データ記憶領域に格納されるランプ波形データについて説明する。ランプ波形データは、送信信号のゲインを示すゲート信号であり、ランプ処理区間において滑らかに増大もしくは減少する。例えば、先頭ランプ波形データとしては、次のような関数を用いる。
【数１】
2008227969.tif 000003
また、末尾ランプ波形データとしては、次のような関数を用いる。
【数２】
2008227969.tif 000004
【００３５】
なお、両式において、Ｎは、シンボル周期の８倍のオーバサンプリング周期のサンプリング点であり、２シンボルのランプ処理区間において、総数１６となる。また、ｎは、時間情報Ｔ１［０：３］で与えられるＮ以下の自然数であり、“０”から“１５”までのいずれかの値をとる。このように、ランプ波形データは、ノーマルモードにおいて、２シンボルの信号区間を使って、“０”と“１”との間を滑らかに増大または減少する波形となる。ここで、ランプ処理区間が３／２シンボルのショートモードにおいては、両式に示す関数において、Ｎを１２（＝１６×３／４），ｎを０以上１２以下の自然数とする。これにより、ランプ波形データは、ショートモードにおいては、３／２シンボルの信号区間を使って、“０”と“１”との間を遷移する波形となる。なお、時間情報Ｔ１［０：３］で与えられるＮ＝１３，１４，１５については、ランプ波形データを“１”に固定すればよい。
【００３６】
なお、短縮波形については、シンボルの長さが２シンボルから１シンボルに変更されるが、上記の説明は有効である。また、例えば、短縮波形の１シンボルの先頭データは、２シンボル分の領域を有するが、最初の１シンボル分のデータとして、「０」が記憶され、後半の１シンボル分のデータとして、有効なランプ波形データが記憶されている。次に、ランプ波形記憶部１００に格納される通常送信区間に対応するデータについて説明する。格納されるデータは、通常送信区間でのゲート信号のレベルであり、“１”に固定される。このデータ“１”は、アドレス入力Ａ［０：６］によらず、常に後段のセレクタ回路１２０に出力される。図４に戻る。
【００３７】
ＲＯＭ１１０からは、上記の記憶領域から、時間情報Ｔ１［０：３］と検出信号ＵＰ／ＤＯＷＮ１とモード選択信号ＮＯＲ／ＳＨＴと波形選択信号ＬＯＮＧに応じたランプ波形データＤが読み出され、セレクタ回路１２０の第１の入力端子に入力される。これと並行して、セレクタ回路１２０の第２の入力端子には、データ“１”が常時入力されている。例えば、波形選択信号ＬＯＮＧが“０”（標準波形に相当）、検出信号ＵＰ／ＤＯＷＮ１が“０”（検出対象のシンボルが先頭ランプ処理区間または通常送信区間にあることに相当）のときには、モード選択信号ＮＯＲ／ＳＨＴが“０”（ノーマルモードに相当）に応じて、ランプ処理区間の記憶領域から標準波形のノーマルモードの先頭ランプ波形データＤが時間情報Ｔ１［０：３］にしたがって読み出される。先頭ランプ波形データＤは、セレクタ回路１２０に入力される。一方、モード選択信号ＮＯＲ／ＳＨＴが“１”（ショートモードに相当）に応じて、ランプ処理区間の記憶領域から標準波形のショートモードの先頭ランプ波形データが時間情報Ｔ１［０：３］にしたがって読み出される。
【００３８】
セレクタ回路１２０は、データ“１”と先頭ランプ波形データＤとが入力されると、制御信号に応じていずれか一方を選択して出力する。制御信号は、ＡＮＤ回路１３０において、検出信号ＵＰ／ＤＯＷＮ［０：１］とＬＯＮＧの論理積の演算結果として出力される信号である。制御信号が“０”のときには、セレクタ回路１２０は、対応する先頭ランプ波形データＤを選択して出力する。一方、制御信号が“１”のときには、セレクタ回路１２０は、通常送信区間を表わすデータ“１”を選択して出力する。
【００３９】
同様に、波形選択信号ＬＯＮＧが“０”、検出信号ＵＰ／ＤＯＷＮ０が“１”（検出対象のシンボルが末尾ランプ処理区間にあることに相当）のときには、モード選択信号ＮＯＲ／ＳＨＴが“０”（ノーマルモードに相当）に応じて、ランプ処理区間の記憶領域から標準波形のノーマルモードの末尾ランプ波形データＤが時間情報Ｔ１［０：３］にしたがって読み出される。一方、モード選択信号ＮＯＲ／ＳＨＴが“１”（ショートモードに相当）に応じて、ランプ処理区間の記憶領域から標準波形のショートモードの先頭ランプ波形データが時間情報Ｔ１［０：３］にしたがって読み出される。セレクタ回路１２０は、制御信号が“０”のときには、対応する末尾ランプ波形データＤを選択して出力する。一方、制御信号が“１”のときには、通常送信区間を表わすデータ“１”を選択して出力する。このようにして、ランプ波形記憶部１００からは、ランプ処理区間に対応するランプ波形データと通常送信区間に対応するデータ“１”とがサンプリング点ごとに順次読み出される。
【００４０】
さらに、波形選択信号ＬＯＮＧが“１”である場合、短縮波形に相当するので、ランプ処理区間の記憶領域から短縮波形のノーマルモードの先頭ランプ波形データおよび末尾ランプ波形データ、あるいは短縮波形のショートモードの先頭ランプ波形データおよび末尾ランプ波形データが読み出される。それ以外の処理は、波形選択信号ＬＯＮＧが“０”である場合と同様であるので、ここでは、説明を省略する。図２に戻る。
【００４１】
乗算器７０には、デジタル信号ＤＡ［９：０］に加えて、ランプ波形記憶部１００に格納されるランプ波形データが入力される。乗算器７０は、両者を乗算し、パケット信号が出力される。パケット信号は、標準波形のノーマルモードにおいて、１スロットの先頭と末尾に配される２シンボルのランプ処理区間を過渡応答期間とする。一方、ショートモードにおいては、ランプ処理区間のうちの３／２シンボルを過渡応答期間とする。また、パケット信号は、短縮波形のノーマルモードにおいて、１スロットの先頭と末尾に配される１シンボルのランプ処理区間を過渡応答期間とする。一方、ショートモードにおいては、ランプ処理区間のうちの１／２シンボルを過渡応答期間とする。
【００４２】
デュアルポートメモリ２００は、乗算器７０から出力されたパケット信号に対して、少なくとも１シンボルに相当するサンプル数を一時的に記憶する。デュアルポートメモリ２００の動作は、後述のメモリ制御部２１０によって制御される。メモリ制御部２１０は、乗算器７０においてパケット信号が生成されたタイミングにおいて、デュアルポートメモリ２００に対して、ライト側のアドレスを発生することによって、パケット信号を蓄積するようにデュアルポートメモリ２００を制御する。また、メモリ制御部２１０は、ＣＰＵ１０からのＴｘＳｔａｒｔがアクティブになったとき、デュアルポートメモリ２００に対して、リード側のアドレスを発生することによって、デュアルポートメモリ２００に記憶されたパケット信号を順次読み出させる。このとき、メモリ制御部２１０は、デュアルポートメモリ２００の１シンボル分に相当するオフセットアドレスからパケット信号を読み出す。デュアルポートメモリ２００から出力されたパケット信号は、デジタル／アナログ変換器８０においてアナログ変換されると、ＬＰＦ９０によって標本化ノイズが除去されて、変調信号Ｓ（ｔ）として出力される。
【００４３】
以上の構成による無線装置５００の動作を説明する。図６は、無線装置５００における通信手順を示すフローチャートである。通信部５１０は、パケット信号を受信する（Ｓ１０）。推定部５１２は、受信したパケット信号の遅れの量を導出する（Ｓ１２）。遅れの量がしきい値よりも大きければ（Ｓ１４のＹ）、選択部５１４は、短縮波形を選択する（Ｓ１６）。一方、遅れの量がしきい値よりも大きくなければ（Ｓ１４のＮ）、選択部５１４は、標準波形を選択する（Ｓ１８）。
【００４４】
本発明の実施例によれば、距離に応じてランプ波形の期間を調節するので、ガードタイムの長さを調節でき、簡易な構成によって遅延波の影響を低減できる。また、ランプ波形の長さを調節するだけなので、簡易な構成によってガードタイムの長さを調節できる。また、ランプ波形の長さを調節するだけなので、端末装置に付加的な情報を送信しなくても、ガードタイムの長さを調節できる。また、端末装置に付加的な情報を送信しないので、伝送効率を向上できる。また、ランプ波形の長さを短くするので、遅延波の影響を低減できる。また、遅延波の影響を低減できるので、受信特性を向上できる。また、新たな情報をパケット信号に付加しなくても、距離を推定できる。
【００４５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４６】
本発明の実施例において、通信部５１０は、先頭ランプ波形と末尾ランプ波形の期間を調節する。しかしながらこれに限らず例えば、推定部５１２において測定した距離に応じて、通信部５１０は、先頭ランプ波形あるいは末尾ランプ波形の期間を調節してもよい。本変形例によれば、距離に応じて、ガードタイムの詳細な設定を実現できる。
【図面の簡単な説明】
【００４７】
【図１】本発明の実施例に係る無線装置の構成を示す図である。
【図２】図２（ａ）−（ｂ）は、図１の無線装置において送受信されるタイムスロットのフォーマットを示す図である。
【図３】図１の通信部に含まれたディジタル変調器の構成を示す図である。
【図４】図３のランプ波形記憶部の構成を示す図である。
【図５】図４のＲＯＭに記憶されるランプ波形データの構成を示す図である。
【図６】図１の無線装置における通信手順を示すフローチャートである。
【符号の説明】
【００４８】
１０  ＣＰＵ、  ２０  タイミング信号発生回路、  ２２  ランプ区間検出回路、  ３０  シリアル／パラレル変換回路、  ４０  マッピング回路、  ５０  デジタルフィルタ、  ７０  乗算器、  ８０  デジタル／アナログ変換器、  ９０  ＬＰＦ、  １００  ランプ波形記憶部、  １１０  ＲＯＭ、  １２０  セレクタ回路、  １３０  ＡＮＤ回路、  ２００  デュアルポートメモリ、  ２１０  メモリ制御部、  ５００  無線装置、  ５１０  通信部、  ５１２  推定部、  ５１４  選択部。
【図１】
2008227969.tif 000005
【図２】
2008227969.tif 000006
【図３】
2008227969.tif 000007
【図４】
2008227969.tif 000008
【図５】
2008227969.tif 000009
【図６】
2008227969.tif 000010